(57)【要約】【課題】  会員増加と、ビジネスチャンスの機会を得るようにする。【解決手段】  ホームページ閲覧足跡装置４００により、会員に対して個人のホームページの作成サービスを行い、さらにネットワーク６００を介して接続されるユーザＡ端末５０１、ユーザＢ端末５０２、ユーザＣ端末５０３、ユーザＤ端末５０４を使用する会員同士のホームページに会員が閲覧した際の足跡情報を残すようにし、会員となったユーザにとっては自分のホームページに興味がもてるようになり、ホームページ作成サービス提供者にとってはユーザにとって興味をもってもらえるホームページを提供し続けるとともに、ネット上に大量に存在するホームページをユーザに知らしめてユーザ同士が互いのホームページを閲覧しあう機会を与えるようにする。【選択図】  図１
2005208997.tif 000002
【特許請求の範囲】
【請求項１】
会員同士のホームページに会員が閲覧した際の足跡情報を残す機能を有したホームページ閲覧足跡装置と、
ネットワークを介して前記ホームページ閲覧足跡装置に接続され、前記ホームページの閲覧が可能なユーザ端末とを備える
ことを特徴とするホームページ閲覧足跡システム。
【請求項２】
前記ホームページ閲覧足跡装置は、
会員に関する基本情報が格納される基本情報データベースと、
前記ホームページの提供と前記ホームページへの閲覧に対し、その前記ホームページに閲覧者の足跡として前記足跡情報を残す機能を有したホームページ管理サーバとを備える
ことを特徴とする請求項１に記載のホームページ閲覧足跡システム。
【請求項３】
前記基本情報データベースには、
前記ホームページの作成サービスの会員となってユーザ毎に作成されたホームページと、
前記会員の属性情報と、
前記足跡情報とが格納される
ことを特徴とする請求項２に記載のホームページ閲覧足跡システム。
【請求項４】
前記足跡情報は、
ユーザ毎に作成されたホームページのそれぞれに割り当てられるアドレスであるＵＲＬと、
前記ホームページを閲覧した際の現在の時刻を示す閲覧時間と、
閲覧先のユーザに対しての任意の内容の一言メッセージとを有する
ことを特徴とする請求項１〜３のいずれかに記載のホームページ閲覧足跡システム。
【請求項５】
前記足跡情報は、
ユーザ毎に割り当てられるユーザＩＤと、
ユーザ毎に任意に設定されるニックネームと、
ユーザ毎に任意に設定されるアイコンとを有する
ことを特徴とする請求項４に記載のホームページ閲覧足跡システム。
【請求項６】
前記ホームページ管理サーバは、
会員となったユーザの前記属性情報を前記基本情報データベースに登録する機能を有する会員登録部と、
ユーザ端末からの閲覧要求に応じて、要求のあったホームページを提供する機能を有するホームページ提供部と、
前記閲覧要求のあったユーザが会員であるか非会員であるかを監視する機能を有するホームページ閲覧監視部と、
前記ホームページ閲覧監視部によって会員であると識別されると、その会員の足跡情報を閲覧要求のあったホームページに追記する機能を有する足跡情報追記部とを備える
ことを特徴とする請求項２〜５のいずれかに記載のホームページ閲覧足跡システム。
【請求項７】
前記ホームページ閲覧足跡装置は、会員に対して個人のホームページの作成サービスを行う機能を有していることを特徴とする請求項１〜６のいずれかに記載のホームページ閲覧足跡システム。
【請求項８】
会員となったユーザの属性情報を基本情報データベースに登録する機能を有する会員登録部と、
ユーザ端末からの閲覧要求に応じて、要求のあったホームページを提供する機能を有するホームページ提供部と、
前記閲覧要求のあったユーザが会員であるか非会員であるかを監視する機能を有するホームページ閲覧監視部と、
前記ホームページ閲覧監視部によって会員であると識別されると、その会員の足跡情報を閲覧要求のあったホームページに追記する機能を有する足跡情報追記部とを備える
ことを特徴とするホームページ管理サーバ。
【請求項９】
会員に対して個人のホームページの作成サービスを行い、会員同士のホームページに会員が閲覧した際の足跡情報を残す工程と、
ネットワークを介して前記ホームページの閲覧が行われる工程とを有する
ことを特徴とするホームページ閲覧足跡方法。
【請求項１０】
会員に関する基本情報が格納される工程と、
前記ホームページの提供と前記ホームページへの閲覧に対し、その前記ホームページに閲覧者の足跡として前記足跡情報が残される工程とを有する
ことを特徴とする請求項９に記載のホームページ閲覧足跡方法。
【請求項１１】
前記基本情報として、
前記ホームページの作成サービスの会員となってユーザ毎に作成されたホームページと、前記会員の属性情報と、前記足跡情報とが格納される工程を有する
ことを特徴とする請求項１０に記載のホームページ閲覧足跡方法。
【請求項１２】
前記足跡情報として、
ユーザ毎に作成されたホームページのそれぞれに割り当てられるアドレスであるＵＲＬと、前記ホームページを閲覧した際の現在の時刻を示す閲覧時間と、閲覧先のユーザに対しての任意の内容の一言メッセージとを有する
ことを特徴とする請求項９〜１１のいずれかに記載のホームページ閲覧足跡方法。
【請求項１３】
前記足跡情報として、
ユーザ毎に割り当てられるユーザＩＤと、
ユーザ毎に任意に設定されるニックネームと、
ユーザ毎に任意に設定されるアイコンとを有する
ことを特徴とする請求項１２に記載のホームページ閲覧足跡方法。
【請求項１４】
会員となったユーザの前記属性情報を登録する工程と、
閲覧要求に応じて、要求のあったホームページを提供する工程と、
前記閲覧要求のあったユーザを監視する工程と、
前記監視により会員であると識別されると、その会員の足跡情報を閲覧要求のあった前記ホームページに追記する工程とを有する
ことを特徴とする請求項１０〜１３のいずれかに記載のホームページ閲覧足跡方法。
【請求項１５】
会員に対して個人のホームページの作成サービスを行う工程を有することを特徴とする請求項９〜１４のいずれかに記載のホームページ閲覧足跡方法。
【請求項１６】
会員となったユーザの属性情報を登録する工程と、
閲覧要求に応じて、要求のあったホームページを提供する工程と、
前記閲覧要求のあったユーザを監視する工程と、
前記監視により会員であると識別されると、その会員の足跡情報を閲覧要求のあったホームページに追記する工程とを有する
ことを特徴とするホームページ管理方法。
【発明の詳細な説明】
【技術分野】
【０００１】
本発明は、ホームページへの閲覧に対し、そのホームページに閲覧者の足跡を残すようにしたホームページ閲覧足跡システムに関するものである。
【背景技術】
【０００２】
近年、インターネットやイントラネット等のネットワークの進展により、そのネットワークを介した種々のサービスが提供されている。それらのサービスには、有償のものや無償ものがあるが、ネットワークの特徴を最もうまく利用したサービスと言え、様々な場面で広く利用されている。典型的なサービスとしては、情報提供者がネットワーク上のサーバにホームページと呼ばれるサイトを開設し、そこにアクセスしてきた任意の端末と対話を行うことにより、順に要求を絞り込み、適切な情報を提供するというものである。
【０００３】
ところで、ネットワークを介した種々の情報のやり取りを、任意のサーバや端末間で適切に行うために、これらの情報はＨＴＭＬという形式のデータで送受されている。しかし、このＨＴＭＬデータは、種々のデータと、データを特定するファイルと、制御コード等とが所定のルールに基づいて混在するデータであるため、これを理解して適切なＨＴＭＬデータを作成するのは非常に専門的な作業が強いられる。
【０００４】
すなわち、専門的な知識を有する熟練した作業者が行うようなレベルの仕事であり、通常のユーザがカスタマイズされたホームページのＨＴＭＬデータを作成するのは困難である。換言すれば、ネットワークを介して所望の情報を提供するホームページの作成は、専門的な知識を有する熟練した作業者にのみ可能であり、通常のソフトウェア技術者程度では、非常に難しい。
【０００５】
この場合、特許文献１に示されているように、サポート者が自分の募集に応じた被サポート会員に対して、既に設置されたサーバ上に被サポート会員のホームページを作成できるようにし、さらに作成されたホームページの管理を通じ、被サポート会員に対して技術支援を行うことで、専門的な知識を有しないユーザであってもホームページの作成が容易に行える。
【特許文献１】特開２００２−３４２４５５
【発明の開示】
【発明が解決しようとする課題】
【０００６】
このように、上述した特許文献１に示されたものは、専門的な知識を有しないユーザであってもホームページの作成が容易に行える。ところが、作成されたホームページへの閲覧があっても、そのホームページに閲覧者の足跡を残すようなシステムが構築されていない。
【０００７】
そのため、容易に作成されたホームページがネット上に大量に存在しても、ユーザ同士が互いのホームページの存在を知る術がなく、互いのホームページを閲覧しあう機会を失ってしまう。また、ユーザにとっては、ホームページが作成できたにも関わらず、自分のホームページに変化が見られないため、興味を損なう場合がある。ちなみに、ホームページにはカウンタ等のツールが設けられることがあるが、それは数字の変化のみであり、興味を引くには不十分である。
【０００８】
また、ユーザにとっては、自分のホームページが作成できたにも関わらず、自分のホームページをアピールする方法がないため、自分のホームページへのアクセスを増やすことができず、自分のホームページを自慢できる機会が得られないという問題もある。
【０００９】
一方、ホームページ作成サービス提供者にとっては、会員が増えることでビジネスチャンスが増えることになるが、それにはユーザにとって興味をもってもらえるホームページを提供し続けることと、ネット上に大量に存在するホームページをユーザに知らしめてユーザ同士が互いのホームページを閲覧しあう機会を与えることが課題であり、その課題を解消できるシステムの構築が望まれている。
【００１０】
解決しようとする問題点は、会員となったユーザが容易に自分のホームページをもてても、他のユーザのホームページの存在を知ることができないばかりか自分のホームページに変化が見られず、しかも自分のホームページをアピールする方法等がなく、さらには自分のホームページを自慢できる機会が得られないために興味が半減してしまうことになり、一方、ホームページ作成サービス提供者にとっては、ユーザにとって興味をもってもらえるホームページを提供し続ける手段や、ネット上に大量に存在するホームページをユーザに知らしめてユーザ同士が互いのホームページを閲覧しあう機会を与える手段がないため、ビジネスチャンスの機会を失ってしまうという点である。
【課題を解決するための手段】
【００１１】
本発明のホームページ閲覧足跡システムは、会員同士のホームページに会員が閲覧した際の足跡情報を残す機能を有したホームページ閲覧足跡装置と、ネットワークを介して前記ホームページ閲覧足跡装置に接続され、前記ホームページの閲覧が可能なユーザ端末とを備えることを特徴とする。
また、前記ホームページ閲覧足跡装置は、会員に関する基本情報が格納される基本情報データベースと、前記ホームページの提供と前記ホームページへの閲覧に対し、その前記ホームページに閲覧者の足跡として前記足跡情報を残す機能を有したホームページ管理サーバとを備えるようにすることができる。
また、前記基本情報データベースには、前記ホームページの作成サービスの会員となってユーザ毎に作成されたホームページと、前記会員の属性情報と、前記足跡情報とが格納されるようにすることができる。
また、前記足跡情報は、ユーザ毎に作成されたホームページのそれぞれに割り当てられるアドレスであるＵＲＬと、前記ホームページを閲覧した際の現在の時刻を示す閲覧時間と、閲覧先のユーザに対しての任意の内容の一言メッセージとを有するようにすることができる。
また、前記足跡情報は、ユーザ毎に割り当てられるユーザＩＤと、ユーザ毎に任意に設定されるニックネームと、ユーザ毎に任意に設定されるアイコンとを有するようにすることができる。
また、前記ホームページ管理サーバは、会員となったユーザの前記属性情報を前記基本情報データベースに登録する機能を有する会員登録部と、ユーザ端末からの閲覧要求に応じて、要求のあったホームページを提供する機能を有するホームページ提供部と、前記閲覧要求のあったユーザが会員であるか非会員であるかを監視する機能を有するホームページ閲覧監視部と、前記ホームページ閲覧監視部によって会員であると識別されると、その会員の足跡情報を閲覧要求のあったホームページに追記する機能を有する足跡情報追記部とを備えるようにすることができる。
また、前記ホームページ閲覧足跡装置は、会員に対して個人のホームページの作成サービスを行う機能を有しているようにすることができる。
本発明のホームページ管理サーバは、会員となったユーザの属性情報を基本情報データベースに登録する機能を有する会員登録部と、ユーザ端末からの閲覧要求に応じて、要求のあったホームページを提供する機能を有するホームページ提供部と、前記閲覧要求のあったユーザが会員であるか非会員であるかを監視する機能を有するホームページ閲覧監視部と、前記ホームページ閲覧監視部によって会員であると識別されると、その会員の足跡情報を閲覧要求のあったホームページに追記する機能を有する足跡情報追記部とを備えることを特徴とする。
本発明のホームページ閲覧足跡方法は、会員に対して個人のホームページの作成サービスを行い、会員同士のホームページに会員が閲覧した際の足跡情報を残す工程と、ネットワークを介して前記ホームページの閲覧が行われる工程とを有することを特徴とする。
また、会員に関する基本情報が格納される工程と、前記ホームページの提供と前記ホームページへの閲覧に対し、その前記ホームページに閲覧者の足跡として前記足跡情報が残される工程とを有するようにすることができる。
また、前記基本情報として、前記ホームページの作成サービスの会員となってユーザ毎に作成されたホームページと、前記会員の属性情報と、前記足跡情報とが格納される工程を有するようにすることができる。
また、前記足跡情報として、ユーザ毎に作成されたホームページのそれぞれに割り当てられるアドレスであるＵＲＬと、前記ホームページを閲覧した際の現在の時刻を示す閲覧時間と、閲覧先のユーザに対しての任意の内容の一言メッセージとを有するようにすることができる。
また、前記足跡情報として、ユーザ毎に割り当てられるユーザＩＤと、ユーザ毎に任意に設定されるニックネームと、ユーザ毎に任意に設定されるアイコンとを有するようにすることができる。
また、会員となったユーザの前記属性情報を登録する工程と、閲覧要求に応じて、要求のあったホームページを提供する工程と、前記閲覧要求のあったユーザを監視する工程と、前記監視により会員であると識別されると、その会員の足跡情報を閲覧要求のあった前記ホームページに追記する工程とを有するようにすることができる。
また、会員に対して個人のホームページの作成サービスを行う工程を有するようにすることができる。
本発明のホームページ管理方法は、会員となったユーザの属性情報を登録する工程と、閲覧要求に応じて、要求のあったホームページを提供する工程と、前記閲覧要求のあったユーザを監視する工程と、前記監視により会員であると識別されると、その会員の足跡情報を閲覧要求のあったホームページに追記する工程とを有することを特徴とする。
本発明に係るホームページ閲覧足跡システムは、ホームページ閲覧足跡装置により、ネットワークを介して接続されるユーザ端末を使用する会員同士のホームページに会員が閲覧した際の足跡情報を残すようにすることができる。
【発明の効果】
【００１２】
本発明のホームページ閲覧足跡システムは、ネットワークを介してホームページ閲覧足跡装置に接続されるユーザ端末を使用する会員同士のホームページに会員が閲覧した際の足跡情報を残すようにしたので、会員となったユーザにとっては自分のホームページに変化が見られることから、自分のホームページに興味がもてるようになり、しかも他のユーザのホームページの存在を知ることができ、ホームページ作成サービス提供者にとっては、興味をもってもらえるホームページを提供し続けることができ、さらにネット上に大量に存在するホームページをユーザに知らしめてユーザ同士が互いのホームページを閲覧しあう機会を与えることで、会員増加を見込めるため、ビジネスチャンスの機会を得ることができる。
【発明を実施するための最良の形態】
【００１３】
本発明のホームページ閲覧足跡システムは、ホームページへの閲覧に対し、そのホームページに閲覧者の足跡として、たとえば閲覧者のＵＲＬ、閲覧時間、一言メッセージ等の足跡情報を残すようにした。
【００１４】
図１は、本発明のホームページ閲覧足跡システムの一実施の形態を示す図、図２は、図１のホームページ閲覧足跡装置の詳細を示す図、図３は、図１のホームページ閲覧足跡システムによるホームページ閲覧足跡方法を説明するためのフローチャートである。
【００１５】
図１に示すホームページ閲覧足跡システムは、ホームページ閲覧足跡装置４００、ユーザＡ端末５０１、ユーザＢ端末５０２、ユーザＣ端末５０３、ユーザＤ端末５０４を備えている。ホームページ閲覧足跡装置４００と、ユーザＡ端末５０１、ユーザＢ端末５０２、ユーザＣ端末５０３及びユーザＤ端末５０４とは、ネットワーク６００を介して相互に通信できるようになっている。ネットワーク６００としては、インターネット、専用回線、無線回線、ＬＡＮ等を用いることができる。
【００１６】
ホームページ閲覧足跡装置４００は、ホームページ作成サービス提供者が保有するものであり、会員に対して個人のホームページの作成サービスを行う機能と会員同士のホームページに会員が閲覧した際の後述の足跡情報１０３を残す機能とを有しているものであって、基本情報データベース１００、ホームページ管理サーバ２００、ホームページ管理端末３００を備えている。
【００１７】
基本情報データベース１００には、図２に示すように、会員毎のホームページ１０１、会員属性情報１０２、足跡情報１０３等の会員に関する基本情報が格納される。
【００１８】
会員毎のホームページ１０１は、ホームページ作成サービス提供者が提供するサービスの会員となった場合に、ユーザ毎に作成されたホームページである。また、ユーザ毎に作成されたホームページには、アドバンストHTMLエディタ（オンラインのHTMLエディタ）、ファイルマネージャ（オンラインでのファイル操作）、ページディレクトリ（テーマ別で登録できるカテゴリ）、日記ツール、素材集、カウンタ等の各種ツールを設けることができる。ここで、ホームページには、たとえば閲覧者のＵＲＬ、閲覧時間、一言メッセージ等の後述の足跡情報１０３が残されるようになっている。また、後述の足跡情報１０３は、ホームページの任意の領域に残されるようにすればよい。
【００１９】
会員属性情報１０２は、会員となったユーザの住所、氏名、年齢、性別、趣味等の情報である。足跡情報１０３は、会員となったユーザのＵＲＬ、閲覧時間、一言メッセージ等である。ここで、ＵＲＬは、ユーザ毎に作成されたホームページのそれぞれに割り当てられるアドレスである。閲覧時間は、ホームページを閲覧した際の現在の時刻を示すものであり、任意のホームページを閲覧した際にそのホームページに残される。一言メッセージは、閲覧先のユーザ等に対してのメッセージであり、任意の内容とすることができるとともに、変更可能である。
【００２０】
なお、足跡情報１０３としては、ユーザ毎に割り当てられるユーザＩＤと、ユーザ毎に任意に設定されるニックネームと、ユーザ毎に任意に設定されるアイコンとを含むようにしてもよい。
【００２１】
ホームページ管理サーバ２００は、ホームページの提供とホームページへの閲覧に対し、そのホームページに閲覧者の足跡として、上述した足跡情報１０３を残す機能を有しているものであり、図２に示すように、会員登録部２０１、ホームページ提供部２０２、ホームページ閲覧監視部２０３、足跡情報追記部２０４を備えている。
【００２２】
会員登録部２０１は、ホームページ作成サービス提供者が提供するサービスの会員となった場合に、会員となったユーザの住所、氏名、年齢、性別、趣味等の情報である上述した会員属性情報１０２を、基本情報データベース１００に登録する機能を有している。なお、会員属性情報１０２は、ホームページ作成サービス提供者が提供するホームページの会員登録ページより受け付けることができる。
【００２３】
ホームページ提供部２０２は、ユーザＡ端末５０１、ユーザＢ端末５０２、ユーザＣ端末５０３、ユーザＤ端末５０４のいずれかからの閲覧要求に応じて、要求のあったホームページを提供する機能を有している。
【００２４】
ホームページ閲覧監視部２０３は、ユーザＡ端末５０１、ユーザＢ端末５０２、ユーザＣ端末５０３、ユーザＤ端末５０４のいずれかからの閲覧要求のあったユーザが会員であるか非会員であるかを監視する機能を有している。ここで、ホームページ閲覧監視部２０３は、閲覧要求のあったユーザのユーザＡ端末５０１、ユーザＢ端末５０２、ユーザＣ端末５０３、ユーザＤ端末５０４のいずれかから得られる識別情報としてのクッキーを用いて、ユーザを識別することができる。この場合、会員か非会員であるかの識別が行われる。
【００２５】
足跡情報追記部２０４は、ホームページ閲覧監視部２０３によって会員であると識別されると、その会員の足跡情報１０３を閲覧要求のあったホームページに追記する機能を有している。
【００２６】
ユーザＡ端末５０１、ユーザＢ端末５０２、ユーザＣ端末５０３、ユーザＤ端末５０４は、ネットワーク６００を介してホームページ管理サーバ２００に対し、会員登録、足跡情報１０３の追加変更、ホームページの閲覧要求等を行う機能を有している。また、ユーザＡ端末５０１、ユーザＢ端末５０２、ユーザＣ端末５０３、ユーザＤ端末５０４としては、ディスクトップパソコン、ノートパソコン、ＰＤＡ、携帯電話等を用いることができる。
【００２７】
次に、このような構成のホームページ閲覧足跡システムによるホームページ閲覧足跡方法について説明する。なお、以下の説明においては、基本情報データベース１００に、会員毎のホームページ１０１、会員属性情報１０２、足跡情報１０３等が既に格納されているものとする。また、以下においては、ユーザＡ端末５０１及びユーザＢ端末５０２のユーザが会員で、ユーザＣ端末５０３及びユーザＤ端末５０４のユーザが非会員であるものとする。
【００２８】
まず、図３に示すように、ホームページ作成サービス提供者が提供するサービスの会員となる場合、ホームページ作成サービス提供者が提供するホームページの図示しない会員登録ページに、ユーザの住所、氏名、年齢、性別、趣味等の情報である上述した会員属性情報１０２を入力すると（ステップＳ１）、会員登録部２０１により、その会員属性情報１０２が基本情報データベース１００に登録される（ステップＳ２）。
【００２９】
これにより、会員となったユーザは、ホームページ作成サービス提供者が提供するホームページを個人のホームページとしてもつことができる（ステップＳ３）。ここで、個人のホームページにはＵＲＬが割り当てられる。またここで、たとえば自分のホームページの所定の欄に上述したＵＲＬや一言メッセージを入力すると（ステップＳ４）、そのＵＲＬ、閲覧時間、一言メッセージ等の足跡情報１０３が基本情報データベース１００に登録される（ステップＳ５）。
【００３０】
次いで、ユーザＡ端末５０１、ユーザＢ端末５０２、ユーザＣ端末５０３、ユーザＤ端末５０４のいずれかからホームページの閲覧要求があると（ステップＳ６）、ホームページ提供部２０２により、要求のあったホームページが要求のあったユーザＡ端末５０１、ユーザＢ端末５０２、ユーザＣ端末５０３、ユーザＤ端末５０４のいずれかに提供される（ステップＳ７）。
【００３１】
このとき、ホームページ閲覧監視部２０３により、閲覧要求のあったユーザのユーザＡ端末５０１、ユーザＢ端末５０２、ユーザＣ端末５０３、ユーザＤ端末５０４のいずれかから得られる識別情報としてのクッキーを用いて、ユーザが識別される（ステップＳ８）。そして、閲覧要求のあったユーザが会員であると識別されると（ステップＳ９）、足跡情報追記部２０４により、その会員の足跡情報１０３が閲覧要求のあったホームページに追記される（ステップＳ１０）。
【００３２】
すなわち、会員であるユーザＡ端末５０１のユーザが会員であるユーザＢ端末５０２のユーザのホームページを閲覧したとすると、ユーザＢ端末５０２のユーザのホームページに、ユーザＡ端末５０１のユーザのＵＲＬ、閲覧時間、一言メッセージ等の足跡情報１０３が残されることになる。
【００３３】
これにより、ユーザＢ端末５０２のユーザは、自分のホームページをユーザＡ端末５０１のユーザが閲覧したことを判別することができる。この場合、足跡情報１０３の閲覧時間から何時に閲覧したかを判別することができる。また、足跡情報１０３のＵＲＬを用いてユーザＡ端末５０１のユーザのホームページを閲覧することができる。この場合、上記同様に、足跡情報追記部２０４により、ユーザＢ端末５０２のユーザの足跡情報１０３がユーザＡ端末５０１のユーザのホームページに追記される。
【００３４】
このようにして、会員のホームページには、閲覧要求のあったユーザの足跡情報１０３が残されることにより、自分のホームページがより多くの人に閲覧してもらう機会が増えていくようになり、会員同士の輪が広がっていく。
【００３５】
なお、会員であるユーザＡ端末５０１及びユーザＢ端末５０２のユーザのホームページには、ＵＲＬ、閲覧時間、一言メッセージ等の足跡情報１０３を入力できる欄を設けるようにしておき、非会員であるユーザＣ端末５０３又はユーザＤ端末５０４のユーザが会員であるユーザＡ端末５０１及びユーザＢ端末５０２のユーザのホームページを閲覧した際に、非会員のＵＲＬ、閲覧時間、一言メッセージ等の足跡情報１０３を入力してもらうようにすることも可能である。
【００３６】
このように、非会員がＵＲＬ、閲覧時間、一言メッセージ等の足跡情報１０３を会員のホームページに残すようにすることで、会員のユーザと非会員のユーザとの輪が広がっていく。またこのように、会員同士の輪や会員と非会員同士の輪が広がってゆくことにより、ホームページ作成サービス提供者にとっては会員のさらなる増加を見込むことができる。
【００３７】
このように、本実施形態では、ホームページ閲覧足跡装置４００により、会員に対して個人のホームページの作成サービスを行い、さらにネットワーク６００を介して接続されるユーザＡ端末５０１、ユーザＢ端末５０２、ユーザＣ端末５０３、ユーザＤ端末５０４を使用する会員同士のホームページに会員が閲覧した際の足跡情報１０３を残すようにしたので、会員となったユーザにとっては自分のホームページに興味がもてるようになり、ホームページ作成サービス提供者にとっては会員増加を見込めるため、ビジネスチャンスの機会を得ることができる。
【００３８】
具体的には、会員となったユーザが容易に自分のホームページをもつことができ、自分のホームページに足跡情報１０３が残されることで変化が見ら、しかも自分のホームページを足跡情報１０３でアピールすることができ、自分のホームページを自慢できる機会が得られることから、自分のホームページに対する興味が増えることになる。また、自分のホームページに足跡情報１０３が残されることで、他のユーザのホームページの存在を知ることができる。一方、ホームページ作成サービス提供者にとっては、ユーザにとって興味をもってもらえるホームページを提供し続けることができ、さらにネット上に大量に存在するホームページをユーザに知らしめてユーザ同士が互いのホームページを閲覧しあう機会を与えることで、会員増加を見込めるため、広告収入等を目的としたビジネスチャンスの機会が得られることになる。
【００３９】
なお、本実施形態では、ホームページ閲覧足跡装置４００により、会員に対して個人のホームページの作成サービスを行い、会員同士のホームページに会員が閲覧した際の足跡情報１０３を残すようにした場合について説明したが、これに限らず、非会員のホームページにも足跡情報１０３を残すようにしてもよい。
【産業上の利用可能性】
【００４０】
企業が自社の製品をホームページを用いてアピールする場合等においても適用できる。
【図面の簡単な説明】
【００４１】
【図１】本発明のホームページ閲覧足跡システムの一実施の形態を示す図である。
【図２】図１のホームページ閲覧足跡装置の詳細を示す図である。
【図３】図１のホームページ閲覧足跡システムによるホームページ閲覧足跡方法を説明するためのフローチャートである。
【符号の説明】
【００４２】
１００  基本情報データベース
１０１  会員毎のホームページ
１０２  会員属性情報
１０３  足跡情報
２００  ホームページ管理サーバ
２０１  会員登録部
２０２  ホームページ提供部
２０３  ホームページ閲覧監視部
２０４  足跡情報追記部
３００  ホームページ管理端末
４００  ホームページ閲覧足跡装置
５０１  ユーザＡ端末
５０２  ユーザＢ端末
５０３  ユーザＣ端末
５０４  ユーザＤ端末
６００  ネットワーク
【図１】
2005208997.tif 000003
【図２】
2005208997.tif 000004
【図３】
2005208997.tif 000005